(57)【要約】【課題】移動性の高い携帯電話端末においてもユーザが意識することなくアドレス情報を適切なグループに分類すること。【解決手段】この携帯電話端末１は、発信元アドレスから着信データを受信する通信処理部１１と、発信元アドレス毎の着信頻度を集計する着信頻度集計部１６と、発信元アドレスに対応する着信頻度が所定の閾値以上であるか否かを判定する着信頻度判定部１７と、着信頻度が閾値以上と判定された発信元アドレスを、該発信元アドレスからの着信データ、及び複数のグループ情報に対応して定められたマッチング情報に基づいて、特定のグループ情報にグルーピングして記憶するアドレス分類部１９とを備える。【選択図】図１
2010263361.tif 000002
【特許請求の範囲】
【請求項１】
発信元アドレスから着信データを受信する通信手段と、
前記発信元アドレス毎の着信頻度を集計する頻度集計手段と、
前記発信元アドレスに対応する前記着信頻度が、所定の閾値以上であるか否かを判定する頻度判定手段と、
前記着信頻度が前記閾値以上と判定された前記発信元アドレスを、該発信元アドレスからの着信データ、及び複数のグループ情報に対応して定められたマッチング情報に基づいて、特定のグループ情報にグルーピングして記憶するアドレス分類手段と、
を備えることを特徴とする携帯電話端末。
【請求項２】
前記アドレス分類手段は、前記マッチング情報毎に定められた確度情報に基づいて、前記発信元アドレスのグルーピングの確度を判断し、前記確度に応じて前記マッチング情報に基づく照合を再度実行する、
ことを特徴とする請求項１記載の携帯電話端末。
【請求項３】
複数のアドレス情報と、前記アドレス情報に関する属性情報と、前記アドレス情報の属するグループ情報とを対応付けて格納するアドレス情報格納手段をさらに備え、
前記アドレス分類手段は、グルーピング処理対象の前記着信データと関連性を有する前記属性情報を、前記アドレス情報格納手段から抽出し、抽出した前記属性情報に対応する前記グループ情報を、前記発信元アドレスのグルーピング先としてさらに決定する、
ことを特徴とする請求項１又は２記載の携帯電話端末。
【請求項４】
携帯電話端末が、発信元アドレスから着信データを受信する通信ステップと、
前記携帯電話端末が、前記発信元アドレス毎の着信頻度を集計する頻度集計ステップと、
前記携帯電話端末が、前記発信元アドレスに対応する前記着信頻度が、所定の閾値以上であるか否かを判定する頻度判定ステップと、
前記携帯電話端末が、前記着信頻度が前記閾値以上と判定された前記発信元アドレスを、該発信元アドレスからの着信データ、及び複数のグループ情報に対応して定められたマッチング情報に基づいて、特定のグループ情報にグルーピングして記憶するアドレス分類ステップと、
を備えることを特徴とするアドレス情報編集方法。
【発明の詳細な説明】
【技術分野】
【０００１】
本発明は、携帯電話端末及びアドレス情報編集方法に関するものである。
【背景技術】
【０００２】
従来から、携帯電話端末等の通信端末には、電話番号やメールアドレス等の通信先アドレスに関するデータをアドレス帳データとして記憶する機能が備えられている。このようなアドレス帳データは、一般的に複数のグループに分類して記憶しておくことが可能にされている。また、アドレス帳データをユーザが検索する際の利便性を高めるために、アドレス帳の編集技術が様々開発されている。例えば、携帯電話端末間の距離及びその測定日時、又は通話相手の携帯電話端末の位置及びその測定日時に基づいてユーザ間の人間関係を推定し、その推定結果に基づいてアドレス帳データの内容を分類する技術が知られている（下記特許文献１参照）。
【先行技術文献】
【特許文献】
【０００３】
【特許文献１】特開２００９−３３２５２号公報
【発明の概要】
【発明が解決しようとする課題】
【０００４】
しかしながら、上述した従来のアドレス帳の編集技術では、移動性の高い携帯電話端末を対象とした場合に分類分けの精度が低下してしまう傾向にある。特に、携帯電話端末のような移動通信端末においては、ユーザの移動範囲に係わらないアドレス帳の最適なグルーピングの実現が求められている。
【０００５】
そこで、本発明は、かかる課題に鑑みて為されたものであり、移動性の高い携帯電話端末においてもユーザが意識することなくアドレス情報を適切なグループに分類することが可能な携帯電話端末及びアドレス情報編集方法を提供することを目的とする。
【課題を解決するための手段】
【０００６】
上記課題を解決するため、本発明の携帯電話端末は、発信元アドレスから着信データを受信する通信手段と、発信元アドレス毎の着信頻度を集計する頻度集計手段と、発信元アドレスに対応する着信頻度が、所定の閾値以上であるか否かを判定する頻度判定手段と、着信頻度が閾値以上と判定された発信元アドレスを、該発信元アドレスからの着信データ、及び複数のグループ情報に対応して定められたマッチング情報に基づいて、特定のグループ情報にグルーピングして記憶するアドレス分類手段と、を備える。
【０００７】
或いは、本発明のアドレス情報編集方法は、携帯電話端末が、発信元アドレスから着信データを受信する通信ステップと、携帯電話端末が、発信元アドレス毎の着信頻度を集計する頻度集計ステップと、携帯電話端末が、発信元アドレスに対応する着信頻度が、所定の閾値以上であるか否かを判定する頻度判定ステップと、携帯電話端末が、着信頻度が閾値以上と判定された発信元アドレスを、該発信元アドレスからの着信データ、及び複数のグループ情報に対応して定められたマッチング情報に基づいて、特定のグループ情報にグルーピングして記憶するアドレス分類ステップと、を備える。
【０００８】
このような携帯電話端末及びアドレス情報編集方法によれば、着信頻度が所定の閾値以上である発信元アドレスが判定され、その発信元アドレスからの着信データが、複数のグループ情報に対応して定められたマッチング情報を基に分類され、その分類結果に基づいて発信元アドレスが特定のグループ情報にグルーピングされて記憶される。これにより、携帯電話端末の位置に関係なく着信頻度の高い発信元アドレスが、その発信元アドレスからの着信データの内容に応じてグルーピングされるので、移動性の高い携帯電話端末においても、有用なアドレス情報をユーザが意識することなく適切なグループに分類することができる。
【０００９】
アドレス分類手段は、マッチング情報毎に定められた確度情報に基づいて、発信元アドレスのグルーピングの確度を判断し、確度に応じてマッチング情報に基づく照合を再度実行することが好ましい。かかるアドレス分類手段を備えれば、発信元アドレスからの着信データによるグループ分けの判定確度が低い場合であっても繰り返し判定を繰り返すことで、より精度の高いアドレス情報のグルーピングが実現される。
【００１０】
また、複数のアドレス情報と、アドレス情報に関する属性情報と、アドレス情報の属するグループ情報とを対応付けて格納するアドレス情報格納手段をさらに備え、アドレス分類手段は、グルーピング処理対象の着信データと関連性を有する属性情報を、アドレス情報格納手段から抽出し、抽出した属性情報に対応するグループ情報を、発信元アドレスのグルーピング先としてさらに決定することも好ましい。かかる構成を採れば、既にグループ分けが行われているアドレス情報の属性情報を利用して、その属性情報に類似している着信データを送信した発信元アドレスを、同一のグループにグルーピングすることで、既存編集データを利用した精度の高いアドレス情報のグルーピングが実現される。
【発明の効果】
【００１１】
本発明によれば、移動性の高い携帯電話端末においてもユーザが意識することなくアドレス情報を適切なグループに分類することができる。
【図面の簡単な説明】
【００１２】
【図１】本発明の好適な一実施形態にかかる携帯電話端末の概略構成図である。
【図２】図１の通信履歴格納部に格納されるデータの構成を示す図である。
【図３】図１のアドレス帳情報格納部に格納されるデータの構成を示す図である。
【図４】図１の判定基準情報格納部に格納されるデータの構成を示す図である。
【図５】図１の曖昧データ格納部に格納されるデータの構成を示す図である。
【図６】図１の携帯電話端末によるアドレス情報編集処理を示すフローチャートである。
【図７】図１の携帯電話端末によるアドレス情報編集処理を示すフローチャートである。
【図８】本発明の変形例である携帯電話端末によるアドレス情報編集処理を示すフローチャートである。
【発明を実施するための形態】
【００１３】
以下、図面とともに本発明による携帯電話端末及びアドレス情報編集方法の好適な実施形態について詳細に説明する。なお、図面の説明においては同一要素には同一符号を付し、重複する説明を省略する。
【００１４】
図１は、本発明の好適な一実施形態にかかる携帯電話端末１の概略構成図である。図１に示すように、本実施形態にかかる携帯電話端末１は、音声通信機能、電子メール送受信機能等のデータ通信機能を有する端末装置であり、基地局２とＩＭＴ−２０００（International Mobile Telecommunication 2000）等の移動体通信方式によって接続されることによって、移動体通信網ＮＷとの間で音声通信及びデータ通信を行うことが可能とされている。ここで、同図には、便宜上、１台の基地局２を図示しているが、それ以上の複数台存在してもよいことは言うまでもない。
【００１５】
この携帯電話端末１は、機能的な構成要素として、通信処理部（通信手段）１１と、通信履歴記憶部１２と、通信履歴情報格納部１３と、アドレス帳データ入力部１４と、アドレス帳情報格納部１５、着信頻度集計部（頻度集計手段）１６と、着信頻度判定部（頻度判定手段）１７と、通信データ抽出部１８と、アドレス分類部（アドレス分類手段）１９と、判定基準情報格納部２０と、曖昧データ格納部２１とを備えている。以下、携帯電話端末１の各構成要素について詳細に説明する。
【００１６】
通信処理部１１は、移動体通信網ＮＷに接続されている他の携帯電話端末やコンピュータ端末等の通信端末との間で、音声通信や電子メール送受信等のデータ通信を実行する。その際、通信処理部１１は、通信相手先を電話番号や電子メールアドレス等のアドレスによって認識する。具体的には、通信処理部１１は、特定アドレス（発信元アドレス）から音声データや電子メールデータ等の着信データを受信して、通信データ抽出部１８に出力するとともに、発信先の特定アドレスに対して発信データを送信する。
【００１７】
通信履歴記憶部１２は、通信処理部１１によって実行される通信の履歴を解析し、その履歴を通信履歴情報格納部１３に蓄積して格納する。図２には、通信履歴情報格納部１３に格納された通信履歴情報のデータ構成の一例を示す。同図に示すように、通信履歴情報格納部１３には、携帯電話端末１に対して発信した通信端末のアドレスである発信元アドレス“Taaa@como.ne.jp”と、その発信元アドレスからの着信の日時を示す着信時刻情報“2009/4/1 15:00”とを含む通信履歴情報が格納されている。
【００１８】
図１に戻って、アドレス帳データ入力部１４は、複数の属性情報を有するアドレス情報を含むアドレス帳データに関するユーザからのデータ入力を受け付ける部分である。このアドレス帳データ入力部１４は、ユーザからのデータ入力に基づいて、アドレス帳情報格納部１５に格納されているアドレス帳データを追加、更新、又は削除する。図３（ａ）には、アドレス帳情報格納部１５に格納されているアドレス帳データのデータ構成の一例を示す。このように、アドレス帳情報格納部１５には、通信先のアドレスを示すアドレス情報“Taaa@como.ne.jp”に対して、そのアドレス情報によって識別されるユーザの属性情報である属性情報１（名前）“○○”及び属性情報２（誕生日）“1975/5/30”と、アドレス情報“Taaa@como.ne.jp”の属するグループを示すグループ情報“友人”とが関連づけて格納される。なお、このグループ情報は、必ずしも文字列データである必要はなく、番号や記号によってグループが示されたものであってもよい。また、アドレス帳データ入力部１４は、ユーザからのグループ情報に関するデータ入力に基づいて、アドレス帳情報格納部１５に格納されているグループ情報データも追加、更新又は削除する。このグループ情報データは、アドレス情報のグルーピング先であるグループ情報を管理するための情報であり、アドレス帳データに含まれるグループ情報は、このグループ情報データの中から選択される。図３（ｂ）には、アドレス帳情報格納部１５に格納されているグループ情報データのデータ構成の一例を示しており、グループ情報（第一階層）“友人”及びグループ情報（第二階層）“親友”からなる階層構造データである。このグループ情報データの一部は、予め設定されたデフォルトデータであり、その他の部分はユーザ入力に応じて追加更新されるデータである。
【００１９】
再び図１に戻って、着信頻度集計部１６は、通信処理部１１によって特定の発信元アドレスからの着信が認識された際に、過去の所定期間におけるその発信元アドレスからの着信頻度を集計する。すなわち、着信頻度集計部１６は、発信元アドレス“Taaa@como.ne.jp”からの着信があった場合に、その発信元アドレス“Taaa@como.ne.jp”を含む通信履歴情報を通信履歴情報格納部１３から読み出して、所定期間（例えば、過去“１週間”）内の着信頻度を集計して、得られた着信頻度を着信頻度判定部１７に出力する。
【００２０】
着信頻度判定部１７は、着信頻度集計部１６によって集計された着信頻度が、所定の閾値ＮＣ以上であるかを判定し、所定の閾値ＮＣ以上である場合は着信のあった発信元アドレスに関するアドレス情報の編集を通信データ抽出部１８に指示する。
【００２１】
通信データ抽出部１８は、発信元アドレスに関するアドレス情報の編集指示を受けた場合、通信処理部１１を介して、発信元アドレスから受信した着信データを抽出する。詳細には、通信データ抽出部１８は、発信元アドレスから受信した電子メールの文章データを含む電子メールデータ、発信元アドレスから受信した後に留守番電話メッセージや通話録音データとして保存された音声データ等の情報を抽出し、音声データの場合には音声認識処理を施すことにより文字データに変換する。そして、通信データ抽出部１８は、電子メールデータ及び音声データ等の着信データをアドレス分類部１９に出力する。
【００２２】
アドレス分類部１９は、通信データ抽出部１８から出力された着信データ、判定基準情報格納部２０に格納されているマッチング情報、さらにはアドレス帳情報格納部１５に格納されているアドレス情報に基づいて、発信元アドレスを複数のグループの中から特定のグループにグルーピングして、そのグルーピングの結果をアドレス帳情報格納部１５に記憶する。図４に示すように、この判定基準情報格納部２０には、２種類のマッチング情報が予め記憶されており、第１のマッチング情報として、分類先のグループ情報を示すグルーピング先“会社”、及びグルーピングの確度を示す判定確度“Ａ”が、着信データと照合するためのテンプレート情報“「○○会社」”に関連づけてられており（図４（ａ））、第２のマッチング情報として、グルーピング先“友人、家族”、及びグルーピングの確度を示す判定確度“Ｂ”が、着信データを判定するための条件を示す判定条件“絵文字有り”に関連づけられている（図４（ｂ））。このグルーピング先は、アドレス帳情報格納部１５に格納されているグループ情報データの中から選択されて設定されたものである。
【００２３】
例えば、アドレス分類部１９は、着信データの中から固有名詞を含むような語句や文章の語尾等を抽出する。さらに、アドレス分類部１９は、抽出された文字と第１のマッチング情報のテンプレート情報とを照合し、両者が一致又は類似する第１のマッチング情報を検索する。併せて、アドレス分類部１９は、検索された第１のマッチング情報に含まれる判定確度に基づいて、発信元アドレスのグルーピングの確度を判断する。ここで、判定確度“Ａ”，“Ｂ”，“Ｃ”、“Ｄ”の順でその判定の確実性が下がっていることを示している。そこで、判定確度が“Ａ”である場合には、アドレス分類部１９は、発信元アドレスの属するグループを、第１のマッチング情報に含まれるグルーピング先に確定し、そのグルーピング先を発信元アドレスに対応するグループ情報として反映することにより、アドレス帳情報格納部１５を更新する。なお、アドレス帳情報格納部１５に発信元アドレスに関するアドレス情報が存在しない場合には、アドレス分類部１９は、発信元アドレスを含む新たなアドレス情報を追加する。より詳細には、図４（ａ）に示すような第１のマッチング情報が格納されており、発信元アドレス“Puuu@momo.com”からの着信データに「ＡＢ会社」という語句を含んでいる場合には、アドレス分類部１９は、発信元アドレス“Puuu@momo.com”の属するグループをグルーピング先“会社”に確定して記憶する。
【００２４】
また、アドレス分類部１９は、発信元アドレスのグルーピングの確度が“B”であると判断された場合には、発信元アドレスからの着信データを利用したグルーピング処理を再度実行する機能も有する。その結果、アドレス分類部１９は、複数回のグルーピング処理の結果を加味して、発信元アドレスの属するグループ情報を確定する。詳細には、判定確度“Ｂ”でグループピング先“会社、友人”と判定された後、判定確度“Ｃ”でグルーピング先“お客様、会社”と判定された場合には、両者の共通部分を判断することにより、グルーピング先“会社”をグループ情報として確定する。
【００２５】
さらに、アドレス分類部１９は、着信データが判定条件に適合するような第２のマッチング情報を抽出し、抽出された第２のマッチング情報に含まれる判定確度に基づいて、発信元アドレスのグルーピングの確度を判断する。そして、アドレス分類部１９は、その判定確度に応じて発信元アドレスの属するグループを、第２のマッチング情報に含まれるグルーピング先に確定して、アドレス帳情報格納部１５に反映する。この場合も、判定確度が低い場合に着信データを用いて再度グルーピング処理を実行することもできる。具体的には、図４（ｂ）に示すような第２のマッチング情報が格納されており、発信元アドレス“Miii@domo.ne.jp”からの電子メールデータに絵文字が含まれている場合には、アドレス分類部１９は、発信元アドレス“Miii@domo.ne.jp”の属するグループを、グルーピング先“友人、家族”として、判定確度“B”で判定する。
【００２６】
また、アドレス分類部１９は、発信元アドレスからの着信データとアドレス帳情報格納部１５に格納された他のユーザに関するアドレス情報との一致性又は類似性を判断することによって、グルーピング先を決定することもできる。すなわち、アドレス分類部１９は、着信データに含まれる固有名詞や日時等の語句と関連性を有する属性情報を含むアドレス情報をアドレス帳情報格納部１５から抽出する。さらに、アドレス分類部１９は、抽出したアドレス情報に含まれるグループ情報を、発信元アドレスのグルーピング先として推定する。そして、アドレス分類部１９は、推定したグループ情報と、マッチング情報を参照して判定されたグルーピング先とを加味して、発信元アドレスのグルーピング先を確定する。より詳細には、図３に示すようなアドレス情報が格納されており、着信日“2009/5/30”の電子メールデータに「○○ちゃんの誕生日」という語句が含まれている場合には、アドレス分類部１９は、類似する属性情報を含むアドレス情報に対応するグループ情報“友人”を、グルーピング先として推定する。
【００２７】
ここで、アドレス分類部１９は、上述したようなグループ情報の判定処理の結果、判定確度“Ｃ”以下の判定確度でしか判定できなかった場合には、判定結果に関する情報を曖昧データ格納部２１に格納し、該当する発信元アドレスからの次回着信時にその判定結果を利用する。これにより、次回判定時の判定処理を効率化できる。図５は、曖昧データ格納部２１に格納された判定結果情報の一例を示している。同図に示すように、処理対象の発信元アドレス“Taaa@como.ne.jp”と、これまでの判定回数を示す判定回数“２”と、最終判定時間“2009/1/21 10:30”と、判定に利用された条件や抽出データを示す判定条件“絵文字添付”と、判定結果“友人：Ｃ、家族：Ｃ”とが対応付けて格納されている。また、アドレス分類部１９は、判定結果情報に含まれる判定回数が所定値を超えた場合には、曖昧データ格納部２１からその判定結果情報を削除し、該当する発信元アドレスに関する通信履歴を通信履歴記憶部１２から削除する機能も有する。これにより、判定確度がいつまでも上がらないような無駄なデータを削除して処理効率を上げることができる。
【００２８】
次に、図６及び図７を参照して、携帯電話端末１の動作について説明するとともに、併せて携帯電話端末１におけるアドレス情報編集方法について詳述する。図６及び図７は、携帯電話端末１によるアドレス情報編集処理時の動作を示すフローチャートである。
【００２９】
まず、通信処理部１１により、特定の発信元アドレスからの電子メールの着信が検出される（ステップＳ１０１）。そうすると、通信履歴記憶部１２により、発信元アドレスに関する通信履歴情報が、通信履歴情報格納部１３に格納される（ステップＳ１０２）。その後、特定の発信元アドレスからの着信時にその発信元アドレスからの着信頻度が集計され、着信頻度判定部１７により、その着信頻度が閾値ＮＣ以上であるか否かが判定される（ステップＳ１０３）。この判定の結果、着信頻度が閾値ＮＣ未満である場合には（ステップＳ１０３；ＮＯ）、処理がステップＳ１０１に戻される。
【００３０】
これに対して、着信頻度が閾値ＮＣ以上である場合には（ステップＳ１０３；ＹＥＳ）、通信データ抽出部１８により、発信元アドレスからの電子メールデータや音声データ等の着信データが抽出される（ステップＳ１０４）。次に、着信データに音声データが含まれる場合には、通信データ抽出部１８により、音声データに音声認識処理が施されて文字データに変換される（ステップＳ１０５）。さらに、抽出された着信データは、アドレス分類部１９によって、判定基準情報格納部２０に格納されたマッチング情報と照合されることにより、発信元アドレスのグルーピング先が判定される（ステップＳ１０６）。
【００３１】
上記判定の結果、判定確度“Ａ”又は“Ｂ”の判定結果が得られた場合には（ステップＳ１０７；ＹＥＳ）、処理をステップＳ２０１（図７）に移行する。一方、判定確度“Ｃ”の判定結果が得られた場合には（ステップＳ１０８；ＹＥＳ）、該当の判定結果情報が曖昧データ格納部２１に格納されて（ステップＳ１０９）、処理がステップＳ１０１に戻される。また、判定確度“Ａ”、“Ｂ”、及び“Ｃ”のいずれの判定結果も得られなかった場合には（ステップＳ１０８；ＮＯ）、該当する発信元アドレスに関する判定回数が所定回数以上に至っているか否かが判定される（ステップＳ１１０）。その結果、判定回数が所定回数以上に至っている場合には（ステップＳ１１０；ＹＥＳ）、該当の判定結果情報が曖昧データ格納部２１から削除された後に（ステップＳ１１１）、処理がステップＳ１０１に戻される。一方、判定結果が所定回数に至っていない場合には（ステップＳ１１０；ＮＯ）、そのまま処理がステップＳ１０１に戻される。
【００３２】
図７に移って、ステップＳ２０１では、アドレス分類部１９によって得られた判定結果の判定確度が“Ａ”であるか否かが判定される。その結果、判定確度が“Ａ”である場合には（ステップＳ２０１；ＹＥＳ）、発信元アドレスに対して判定されたグループ情報がその発信元アドレスに対応付けて記憶されることにより、アドレス帳情報格納部１５が更新される（ステップＳ２０９）。
【００３３】
一方、判定確度が“Ａ”以外である場合には（ステップＳ２０１；ＮＯ）、通信データ抽出部１８により、発信元アドレスからの着信データが再度取得される（ステップＳ２０２）。次に、アドレス分類部１９により、着信データの中から前回と異なる日時、固有名詞、属性等を示す抽出データが抽出される（ステップＳ２０３）。抽出された抽出データは、アドレス分類部１９により、アドレス帳情報格納部１５に格納されているアドレス情報に含まれる属性情報と照合される（ステップＳ２０４）。照合の結果、アドレス分類部１９により、抽出データと一致又は類似する属性情報を含むアドレス情報が抽出される（ステップＳ２０５）。
【００３４】
また、ステップＳ２０３〜Ｓ２０５の処理と並行して、発信元アドレスからの着信データから語尾が抽出される（ステップＳ２０６）。その後、着信データ及び判定基準情報格納部に格納されたマッチング情報を利用して発信元アドレスのグルーピング先が判定されるとともに、アドレス帳情報格納部１５から抽出されたアドレス情報を用いてグルーピング先が推定される（ステップＳ２０７）。さらに、アドレス分類部１９によって、複数のグループ情報の判定結果を加味して、最終的な発信元アドレスのグルーピング先が確定される（ステップＳ２０８）。最後に、確定されたグルーピング先が、発信元アドレスに対応するグループ情報としてアドレス帳情報格納部１５に記憶される。
【００３５】
以上説明した携帯電話端末１によれば、着信頻度が所定の閾値ＮＣ以上である発信元アドレスが判定され、その発信元アドレスからの着信データが、複数のグループ情報に対応して定められたマッチング情報を基に分類され、その分類結果に基づいて発信元アドレスが特定のグループ情報にグルーピングされて記憶される。これにより、携帯電話端末１又は通信相手先の位置に関係なく着信頻度の高い発信元アドレスが、その発信元アドレスからの着信データの内容に応じてグルーピングされるので、移動性の高い携帯電話端末においても、頻繁に通信に用いる有用なアドレス情報をユーザが意識することなく適切なグループに分類することができる。
【００３６】
また、発信元アドレスからの着信データによるグループ分けの判定確度が低い場合であっても繰り返し判定を繰り返すことで、より精度の高いアドレス情報のグルーピングが実現される。
【００３７】
さらに、既にグループ分けが行われた上で記憶されているアドレス情報を利用して、そのアドレス情報に関する属性情報と類似している着信データを送信した発信元アドレスを、同一のグループにグルーピングすることで、既存編集データを利用した効率的かつ精度の高いアドレス情報のグルーピングが実現される。
【００３８】
なお、本発明は、前述した実施形態に限定されるものではない。例えば、アドレス分類部１９が、発信元アドレスのグルーピング先を決定する際には、予め定められたグループ情報の中から選択する以外に、着信データの内容に応じてそのグループ情報を決定しても良い。
【００３９】
図８は、この場合の携帯電話端末１の動作を示すフローチャートである。同図に示すステップＳ３０１〜Ｓ３０７までの処理は、図７のステップＳ２０２〜Ｓ２０８までの処理と同様である。ステップＳ３０８で発信元アドレスに関するグループ情報が確定されると、アドレス分類部１９により、判定に用いられた抽出データの中から固有名詞を含む文字データがさらに検索される（ステップＳ３０８）。次に、アドレス分類部１９により、検索された同一の固有名詞が所定個以上あるか否かが判定される（ステップＳ３０９）。その結果、同一の固有名詞が所定個以上ある場合には（ステップＳ３０９；ＹＥＳ）、その固有名詞を発信元アドレスに対応するグループ情報として確定してアドレス帳情報格納部１５に反映させる（ステップＳ３１１）。一方、同一の固有名詞が所定個未満である場合には（ステップＳ３０９；ＮＯ）、ステップＳ３０７で確定されたグループ情報をそのまま発信元アドレスのグルーピング先として用いる（ステップＳ３１０）。
【００４０】
このように着信データを用いてグループ名を決定することにすれば、より適切な発信元アドレスのグルーピング処理が実現できる。
【符号の説明】
【００４１】
１…携帯電話端末、１１…通信処理部（通信手段）、１５…アドレス帳情報格納部（アドレス情報格納手段）、１６…着信頻度集計部（頻度集計手段）、１７…着信頻度判定部（頻度判定手段）、１９…アドレス分類部（アドレス分類手段）。
【図１】
2010263361.tif 000003
【図２】
2010263361.tif 000004
【図３】
2010263361.tif 000005
【図４】
2010263361.tif 000006
【図５】
2010263361.tif 000007
【図６】
2010263361.tif 000008
【図７】
2010263361.tif 000009
【図８】
2010263361.tif 000010